(57)【特許請求の範囲】
【請求項１】
養生コンクリートの立面には、不透水シートに薄地の織布、編物、不織布、ネット地、又はスポンジマットなどのメッシュの浸水物を添着した養生シートを用い、前記養生コンクリート面と養生シート間の上端部に給水タンクと連通した多数の有孔パイプを配置すると共に、下端部には前記有孔パイプからの給水を前記メッシュの浸水物を通して吸引する吸引手段を設置したことを特徴とするコンクリート養生装置。
【請求項２】
前記請求項１における養生シートの前記養生するコンクリート表面への付着が、接着テープによるものであることを特徴とするコンクリートの養生装置。
【請求項３】
前記請求項１又は２の養生シートの連設が、隣接する各養生シート間を隙間なく繋合した接合テープによるものであることを特徴とするコンクリートの養生装置。
【請求項４】
請求項３の養生コンクリートがトンネル覆工面であり、その覆工面のトンネル周方向に間隔を置いてフレームを添着し、該フレーム間のトンネル軸方向に張設した線状材には、前記接合テープの所要間隔毎にクッション材を配置したことを特徴とするコンクリートの養生装置。
【請求項５】
前記請求項３又は４に記載した養生装置を用い、前記吸引手段により前記不透水シートを前記コンクリート表面に押し付けると共に、前記メッシュの浸水物を前記有孔パイプからの給水と吸引手段による吸引で前記コンクリートの表面を間欠的に湿潤するようにしたことを特徴とするコンクリートの養生方法。
【発明の詳細な説明】
【技術分野】
【０００１】
本発明はコンクリートの養生シートと、そのシートの養生装置、及び養生装置を用いた養生方法に関する。
【背景技術】
【０００２】
本出願人の出願である下記の特許出願は、養生するコンクリート表面に多数の凹部を形成した養生シートを添着し、このコンクリート表面と養生シート間に散水手段を配置したものである。
【先行技術文献】
【特許文献】
【０００３】
【特許文献１】特願２００９−１２２６８
【発明の概要】
【発明が解決しようとする課題】
【０００４】
しかしながら、上記従来技術には、以下のような問題点があった。
（１）緩衝シートの凸部周囲の凹部に形成される空隙が大きく、そのため養生水の滞水能力が小さいことから、給水の中断による養生水の下方移動を防止するためには、連続的な給水が必要となる。
（２）緩衝シートの凹凸による色むらの跡がコンクリート表面に形成される。特に、コンクリートから溶出するカルシウムが炭酸化して表面に析出し、外観を損ねる。
（３）緩衝シートの凹部は水で満たされており、養生シートに保温効果を期待できない。
などの問題があった。
【０００５】
そこで、本発明の目的は、養生水の保水性や保温性を向上し、コンクリート表面の凹凸むらやカルシウムの析出による美観損傷を抑制するコンクリートの養生装置、及び養生方法を提供することとした。
【課題を解決するための手段】
【０００６】
本発明は、上記課題を解決せんとするものであり、その養生シートの要旨は、養生コンクリート表面に不透水シートを被覆し、前記コンクリート表面と不透水シート間の空隙に給水するコンクリートの養生シートの構造であって、該養生シートの前記コンクリート表面を被覆する側に、薄地の織布、編物、不織布、ネット地、又はスポンジマットなどのメッシュの浸水物を添付したものを用い、前記コンクリートと養生シート間の上端部に給水タンクと連通した多数の有孔パイプを配置すると共に、下端部には前記有孔パイプからの給水を前記メッシュの浸水物を通して吸引する吸引手段を設置したことを特徴とするコンクリートの養生装置にある。
上記メッシュの浸水物を添付した不透水シート、すなわち養生シートを、養生するコンクリート表面側に被覆することにより、コンクリート表面の仕上がりを良好にするだけでなく、養生時の保水性と保温性を増進させることができる。
なお、ここで不透水シートとしては、単に一枚のポリプロピレン系樹脂、ポリエチレン系樹脂などの単独又は二種以上混合したものの不透水シートの合成樹脂シートか、いわゆるプチプチ（登録商標）シートとして片面に空気又は中実の緩衝シートを用いることができる。
【０００８】
これらの装置は養生シートを、接合テープと接着テープで縦横に隣接状態にして打設したコンクリート表面に接合し、前記有孔パイプからの散水と吸引手段により、養生シートの保水性と保温性を向上し、耐久性と美麗といった良質なコンクリート表面を、養生シートの貼り替えによって、次々と給水養生していくことを可能にした。
【０００９】
また、本発明の養生シートを多数隣接・拡張して用いる養生方法を使用することにより、広範囲のコンクリート面の養生を、前記養生シートの付け替えによって連続的に施工することができる。
【発明の効果】
【００１０】
本発明は、不透水シートの片面に、従来の凹凸シートの凹凸面を直接コンクリートに添付するものではなく、浸水作用を有するメッシュの浸水物を用いることで、保水性を向上してひび割れが生じ難い耐久性を有する良質のコンクリートを得ることができる。また、本発明の養生により、美麗な仕上がりのコンクリート表面ができる。特に、その具体的効果を以下に列挙する。
【００１１】
１）メッシュの浸水物をコンクリート表面と不透水シートの間に介在させているため、セメントの水和反応を良好に維持できることから、コンクリートの強度、水密性・緻密性を向上させることができる。
２）給水養生を行うことによりコンクリートが吸水膨張するため、乾燥収縮ひび割れ、温度応力ひび割れを低減できる。
３）繊維等の保水性に優れるメッシュの浸水物をコンクリート面にあてがうことによって、炭酸カルシウムの局所的な析出が避けられ、外観が見苦しくなることを抑制できる。
４）コンクリート面と不透水シート間のメッシュの浸水物には保温性が期待できる。
５）軽量で薄い養生シートを用いることができる。
６）給水養生に要する水量は、メッシュ浸水物を浸すだけの極めて少量で十分であり、給水タンクからの有孔パイプと吸気手段としての設備も簡便な設備でよい。
７）養生シートは吸気による負圧によってコンクリートに押し付けられるので、自重や風の作用で脱落することはない。
【図面の簡単な説明】
【００１２】
【図１】（１）〜（４）は、本発明であるコンクリートの養生シートの縦断面図である。
【図２】本発明である養生装置の立面からの説明図である。
【図３】図２のＡ−Ａ’断面図である。
【図４】本発明の養生装置をトンネルの覆工に利用した場合の縦断面図である。
【図５】図４のＢ−Ｂ’断面図である。
【図６】図５におけるトンネル軸方向に配置した養生シートを仮止めする説明図である。
【発明を実施するための形態】
【００１３】
以下に本発明の実施例を説明するが、いうまでもなく、本発明はその趣旨を外れない限り、これらの例に限定されるものではない。
【実施例】
【００１４】
図１では、ボックスカルバートの内壁面である養生するコンクリート１の表面に、メッシュの浸水物３〜３’”を介して不透水シートとして片面に凹凸を形成した緩衝シート２を添着した状態を示す養生シートの断面図である。これらのうち、図１のメッシュの浸水物３には、（１）が織布であり、それ以外には（２）から（４）のそれぞれに不織布３’、ネット類３”、スポンジ状のマット３’”を示すものである。
【００１５】
図２と図３は、図１の養生シートを用いた養生装置の立面からの概念図である。
この図は、本発明の養生するコンクリートがボックスカルバートの側面への説明である。
養生するコンクリート１面には、メッシュの浸水物として細かく織り上げられた織物３等を添着した不透水シートとしての緩衝シート２を７枚の養生シートとして、上端に仮止め用の接着テープ５で仮止めして前記コンクリート面に横に並べて添わせ、各隣接する養生シート間を気密にする接合テープ４を張り合わせ、これらの養生シート全体の四周には前記コンクリートの養生面とシールテープ又は薄肉フィルム１１によりシールしている。
【００１６】
この養生するコンクリート１と養生シートとの間の上端部に、養生シート外にある給水タンク６と連結した多数の有孔パイプ７を被覆し、下端部には養生シート外に位置するバキューム装置を備えた吸引機８に連結した吸引パイプ１０から連結した吸引口９が織物３の位置まで挿通して存在する。
【００１７】
つぎに、本発明であるコンクリートの養生装置の取り付け方法を、図１乃至図３により、順に説明する。
まず、養生コンクリート１の上方にあるに給水タンク６から連設した有孔パイプ７を養生するコンクリート上端に沿って接着テープ等（図示せず）で取り付けておく。つぎに、前記有孔パイプ７を覆うようにメッシュの浸水物である織布３を付着した不透水シートとしての緩衝シート２からなる養生シートの上端部を接着テープ５で部分的に仮止めし、隣接する養生シート２間の上から、接合テープ４により養生シート２間を機密に添着していく。さらに、養生シートの下端部の所要箇所に吸引口９を穿孔しておき、その吸引口９からは養生シート外の吸引パイプ１０を介して吸引機８へ連結しておく。
【００１８】
このようにして、仕上げたコンクリート養生装置を使用するには、吸引機８を稼働すると共に、給水タンク６の図外にあるバルブを開き、有孔パイプ７から散水された水は、織布３より養生コンクリート表面へと水を拡散して行き、前記吸引機８から水を吸引しながら、養生シートのコンクリート面への押し付けを目視して確認し、これを所定時間毎の間欠運転により、５〜１５日間稼働させて養生していく。
【００１９】
上記実施例のボックスカルバートとは別の実施例として、覆工コンクリートの養生面における前記接合テープ４の剥離により養生シートがトンネル内に落下しないようにした装置について、図４乃至図６により、以下に説明する。
図４は覆工トンネルの縦断面図、図５は覆工トンネルの両下端に取り付けたジャッキ１２により、トンネル軸方向に所要間隔をおいて、周方向に存在するコンクリート打ち継目の溝１３に沿って塩化ビニールパイプからなるフレーム１４を添着した部分説明図、図６は塩化ビニールパイプ１４間をトンネル周方向に所要間隔で配置したターンバックル１５によりトンネル軸方向に張設したピアノ線あるいはナイロン（登録商標）製糸等の線状材１６に設けたポリウレタン製のクッション材１７を、所要の間隔で配置することにより、複数の養生シートの隣接間に配置している接合テープ４及び養生シート本体を押さえて保持するようにしている。
【００２０】
このクッション材１７により、前記した接合テープ４が、前記吸引機８からの吸引不足により、剥離することで、養生シートを覆工コンクリート表面から落下することを防止している。
【産業上の利用可能性】
【００２１】
本発明の実施例は、ボックスカルバートと覆工トンネルのコンクリート養生を例にして説明したが、その他にも鉄筋や鉄骨の天井、床、梁などのコンクリート躯体の養生について広く実施することができる。
【符号の説明】
【００２２】
１      養生するコンクリート
２      不透水シート（緩衝シート）
３      メッシュの浸水物（織物）
４      接合テープ
５      接着テープ
６      給水タンク
７      有孔パイプ
８      吸引手段（吸引機）
９      吸引口
１０    吸引パイプ
１７    クッション
【図１】
0005584000.tif 000002
【図２】
0005584000.tif 000003
【図３】
0005584000.tif 000004
【図４】
0005584000.tif 000005
【図５】
0005584000.tif 000006
【図６】
0005584000.tif 000007